(57)【要約】【課題】記憶手段の記憶容量の過大化を抑止しつつ、複数の表示手段に画像を表示させて多様な視覚効果を得ることができる画像処理装置、及び遊技機を提供する。【解決手段】画像処理装置１は、画像を生成する画像生成部１１、取得部１３、生成部１４と、第１表示装置１９に表示される動画像を記憶させる第１バッファ１７１と、第２表示装置２０に表示される変更画像を記憶させる第２バッファ１５１とを備え、画像生成部１１は動画像を生成すると共に、取得部１３、生成部１４は動画像に依存して動画像よりもデータ量の小さい変更画像を生成するように構成され、第１バッファ１７１の記憶容量と第２バッファ１５１の記憶容量とは、動画像のデータ量と変更画像のデータ量とに依存して、第２バッファ１５１の記憶容量が第１バッファ１７１の記憶容量より小さく形成される【選択図】図１
2019032473.tif 000002
【特許請求の範囲】
【請求項１】
複数の画像表示手段に表示させる複数の画像を生成する画像処理装置であって、
一以上の画像表示手段に表示する第一の画像と、前記一以上の画像表示手段以外の画像表示手段に表示する、前記第一の画像に依存する前記第一の画像よりもデータ量の小さい第二の画像とを生成する画像生成手段と、
前記第一の画像を記憶する第一の記憶手段と、
前記第一の記憶手段の記憶容量より小さい記憶容量で形成され、前記第二の画像を記憶する第二の記憶手段と、
を備えたことを特徴とする画像処理装置。
【請求項２】
前記画像生成手段は、前記複数の画像表示手段のうちの第一の画像表示手段に表示される前記第一の画像の少なくとも一部である所定領域の画像を取得して、前記複数の画像表示手段のうち第二の画像表示手段に表示しうる画像に変更することで前記第二の画像を生成する画像変更手段を備え、
前記第二の記憶手段の記憶容量は前記第二の画像を記憶できる大きさに形成されていることを特徴とする請求項１に記載の画像処理装置。
【請求項３】
前記画像変更手段は、前記第一の画像を複数のブロック単位で分割した複数の分割画像のそれぞれを異なるタイミングで取得し、取得した前記分割画像によって生成した画像により前記第二の画像を生成し、
前記第二の記憶手段の記憶容量は前記第二の画像を記憶できる大きさに形成されていることを特徴とする請求項２に記載の画像処理装置。
【請求項４】
前記画像変更手段は、前記第一の画像のデータ量を所定の基準で削減して前記第二の画像を生成し、
前記第二の記憶手段の記憶容量は前記第二の画像を記憶できる大きさに形成されていることを特徴とする請求項２又は３に記載の画像処理装置。
【請求項５】
前記一の画像表示手段は液晶ディスプレイであって、前記第一の画像は液晶画面で表示される画像であり、
前記他の画像表示手段は複数のＬＥＤが所定の規則で配列されたＬＥＤディスプレイであって、前記第二の画像はＬＥＤ画面で表示される画像であり、
前記画像生成手段は、前記一の画像表示手段に表示される前記第一の画像の少なくとも一部である所定領域の画像を取得し、前記所定領域の画像を前記他の画像表示手段に表示しうる画像に変更することで前記第二の画像を生成する画像変更手段を備え、
前記画像変更手段は、前記第二の画像を、前記ＬＥＤの配列の規則に基づいて時分割に点灯させることを特徴とする請求項１乃至４の何れか一つに記載の画像処理装置。
【請求項６】
請求項１乃至５の何れか一つに記載の画像処理装置を備えたことを特徴とする遊技機。
【請求項７】
第一の記憶手段と、前記第一の記憶手段の記憶容量よりも小さい記憶容量で形成される第二の記憶手段とを備え、複数の画像表示手段に表示させる複数の画像を生成する画像処理装置により実行される画像処理方法であって、
一以上の画像表示手段に表示する第一の画像を生成し、
前記一以上の画像表示手段以外の画像表示手段に表示する、前記第一の画像に依存する前記第一の画像よりもデータ量の小さい第二の画像を生成し、
前記第一の記憶手段に前記第一の画像を記憶し、
前記第二の記憶手段に前記第二の画像を記憶する
ことを特徴とする画像処理方法。
【請求項８】
第一の記憶手段と、第二の記憶手段とを備え、複数の画像表示手段に表示させる複数の画像を生成する画像処理装置のプロセッサにより実行される画像処理プログラムであって、
一以上の画像表示手段に表示する第一の画像を生成し、
前記一以上の画像表示手段以外の画像表示手段に表示する、前記第一の画像に依存する前記第一の画像よりもデータ量の小さい第二の画像を生成し、
前記第一の記憶手段に前記第一の画像を記憶し、
前記第一の記憶手段の記憶容量よりも小さい記憶容量で形成される前記第二の記憶手段に前記第二の画像を記憶する
ことを特徴とする画像処理プログラム。
【発明の詳細な説明】
【技術分野】
【０００１】
本発明は、複数の表示手段に表示させる画像を処理する技術に関する。
【背景技術】
【０００２】
従来、それぞれ別個の画像を表示させる複数の表示手段や部分毎に別個の画像を表示させる一の表示手段に、別個の画像を表示させる技術が存在する。ここで、パチンコやスロットなどの遊技機の分野では、画像処理装置を搭載し、遊技の進行に応じて処理した画像を表示装置に表示させることにより、画像を用いた抽選や演出を行うことが主流となっている。そして、遊技機の分野において、多様な演出効果を得る目的等により、遊技機が複数の表示装置を搭載し、各表示装置が抽選と演出との表示を協働して行う技術も知られている。
【０００３】
これに関連する他の技術として、以下に示すものが知られている。即ち、遊技機は、画面解像度がＳＶＧＡ（Super Video Graphics Array）の第１図柄表示装置と、画面解像度がＶＧＡ（Video Graphics Array）の第２図柄表示装置と、第１図柄表示装置及び第２図柄表示装置をそれぞれ駆動制御することが可能であるとともに、第１図柄表示装置及び第２図柄表示装置のそれぞれに対応して設けられた複数の図柄制御基板とを備えている。そして、遊技機の図柄制御基板に、第１図柄表示装置及び第２図柄表示装置のそれぞれに対応する２つのドットクロック周波数を発生可能なクロック周波数発生手段と、クロック周波数発生手段にて発生するドットクロック周波数を選択するクロック周波数選択手段とを設ける技術である（例えば、特許文献１参照）。
【先行技術文献】
【特許文献】
【０００４】
【特許文献１】実用新案登録第３１２１０５２号公報
【発明の概要】
【発明が解決しようとする課題】
【０００５】
ここで、複数の画像生成装置によって生成した画像を表示手段に表示させる場合、それぞれの画像生成装置を別個の記憶手段例えば別個のフレームバッファに一時的に格納したのちに表示手段に表示させる。そして、上記特許文献１に記載の画像処理技術を有する画像処理装置では、遊技の進行に応じて、記憶装置に記憶されている画像データをレンダリング処理したあと、生成した画像をフレームバッファに格納することになる。したがって、上記特許文献１に記載の発明においては、複数の表示装置に表示する画像を一時的に格納する、複数の画像データに対応した記憶容量の複数のフレームバッファを搭載するため、搭載するバッファの容量が増大してしまうという問題がある。
【０００６】
本発明は上記課題に鑑みてなされたものであり、記憶手段の記憶容量の過大化を抑止しつつ、複数の表示手段に画像を表示させて多様な視覚効果を得ることができる画像処理装置、画像処理方法、画像処理プログラム、及び遊技機を提供することを課題としている。
【課題を解決するための手段】
【０００７】
かかる課題を解決するために、請求項１に記載の発明は、複数の画像表示手段に表示させる複数の画像を生成する画像処理装置であって、一以上の画像表示手段に表示する第一の画像と、前記一以上の画像表示手段以外の画像表示手段に表示する、前記第一の画像に依存する前記第一の画像よりもデータ量の小さい第二の画像とを生成する画像生成手段と、前記第一の画像を記憶する第一の記憶手段と、前記第一の記憶手段の記憶容量より小さい記憶容量で形成され、前記第二の画像を記憶する第二の記憶手段と、を備えたことを特徴とする。
【０００８】
請求項２に記載の発明は、請求項１に記載に構成に加え、前記画像生成手段は、前記第一の画像の少なくとも一部である所定領域の画像を取得して前記第二の画像表示手段に表示しうる画像に変更することで前記第二の画像を生成する画像変更手段を備え、前記第二の記憶手段の記憶容量は前記第二の画像を記憶できる大きさに形成されていることを特徴とする。
【０００９】
請求項３に記載の発明は、請求項２に記載の構成に加え、前記画像変更手段は、前記第一の画像を複数のブロック単位で分割した複数の分割画像のそれぞれを異なるタイミングで取得し、取得した前記分割画像によって生成した画像により前記第二の画像を生成し、前記第二の記憶手段の記憶容量は前記第二の画像を記憶できる大きさに形成されていることを特徴とする。
【００１０】
請求項４に記載の発明は、請求項２又は３に記載の構成に加え、前記画像変更手段は、前記第一の画像のデータ量を所定の基準で削減して前記第二の画像を生成し、前記第二の記憶手段の記憶容量は前記第二の画像を記憶できる大きさに形成されていることを特徴とする。
【００１１】
請求項５に記載の発明は、請求項１乃至４の何れか一つに記載の構成に加え、前記一の画像表示手段は液晶ディスプレイであって前記第一の画像は液晶画像であり、前記他の画像表示手段は複数のＬＥＤが所定の規則で配列されたＬＥＤディスプレイであって前記第二の画像はＬＥＤ画面で表示される画像であり、前記画像生成手段は、前記複数の画像表示手段のうちの第一の画像表示手段に表示される前記第一の画像の少なくとも一部である所定領域の画像を取得して前記複数の画像表示手段のうちの第一の画像表示手段に表示される第二の画像表示手段に表示しうる画像に変更することで前記第二の画像を生成する画像変更手段を備え、該画像変更手段は、前記所定領域の画像に基づいて生成された前記第二の画像を、前記ＬＥＤの配列の規則に基づいて時分割に点灯させることを特徴とする。
【００１２】
請求項６に記載の発明は、遊技機であって、請求項１乃至５の何れか一つに記載の画像処理装置を備えたことを特徴とする。
【００１３】
請求項７に記載の発明は、第一の記憶手段と、前記第一の記憶手段の記憶容量よりも小さい記憶容量で形成される第二の記憶手段とを備え、複数の画像表示手段に表示させる複数の画像を生成する画像処理装置により実行される画像処理方法であって、一以上の画像表示手段に表示する第一の画像を生成し、前記一以上の画像表示手段以外の画像表示手段に表示する、前記第一の画像に依存する前記第一の画像よりもデータ量の小さい第二の画像を生成し、前記第一の記憶手段に前記第一の画像を記憶し、前記第二の記憶手段に前記第二の画像を記憶することを特徴とする。
請求項８に記載の発明は、第一の記憶手段と、第二の記憶手段とを備え、複数の画像表示手段に表示させる複数の画像を生成する画像処理装置のプロセッサにより実行される画像処理プログラムであって、一以上の画像表示手段に表示する第一の画像を生成し、前記一以上の画像表示手段以外の画像表示手段に表示する、前記第一の画像に依存する前記第一の画像よりもデータ量の小さい第二の画像を生成し、前記第一の記憶手段に前記第一の画像を記憶し、前記第一の記憶手段の記憶容量よりも小さい記憶容量で形成される前記第二の記憶手段に前記第二の画像を記憶することを特徴とする。
【発明の効果】
【００１４】
請求項１、請求項７、請求項８に記載の発明によれば、第一の画像に依存して前記第一の画像よりもデータ量の小さい第二の画像を生成し、第一の画像を記憶する第一の記憶手段の記憶容量よりも第二の画像を記憶する第二の記憶手段の記憶容量を小さく形成することにより、第一の記憶手段と第二の記憶手段とを、それぞれ第一の画像のデータ量と第二の画像のデータ量とに対応した記憶容量に形成できる。これにより、記憶手段の記憶容量の過大化を抑止しつつ、複数の表示手段に画像を表示させて多様な視覚効果を得ることが可能になる。
【００１５】
請求項２に記載の発明によれば、第一の画像の所定領域を取得して第二の画像を生成することにより、第一の画像の少なくとも一部に対応する、データ量が第一の画像のデータ量以下の第二の画像を生成できる。そして、第二の記憶手段を第二の画像のデータ量に対応した記憶容量に形成できるので、第二の記憶手段が過大な大きさになることを抑止し、記憶手段の記憶容量の過大化を抑止することが可能となる。
【００１６】
請求項３に記載の発明によれば、第一の画像を複数のブロック単位で分割した分割画像によって第二の画像を生成することにより、第二の画像のデータ量を、確実に第一の画像のデータ量よりも小さく生成できる。そして、第二の記憶手段を第二の画像のデータ量に対応した記憶容量に形成できるので、第二の記憶手段が過大な大きさになることを抑止し、記憶手段の記憶容量の過大化を抑止することが可能となる。
【００１７】
請求項４に記載の発明によれば、第一の画像のデータ量を所定の基準で削減して第二の画像を生成することにより、第二の画像のデータ量を、確実に第一の画像のデータ量以下に生成できる。そして、第二の記憶手段を第二の画像のデータ量に対応した記憶容量に形成できるので、第二の記憶手段が過大な大きさになることを抑止し、記憶手段の記憶容量の過大化を抑止することが可能となる。
【００１８】
請求項５に記載の発明によれば、液晶画像に基づいてＬＥＤ画面で表示される画像を生成することにより、液晶ディスプレイとＬＥＤディスプレイとを併用する場合において、所定領域の画像に基づいて生成された第二の画像を、ＬＥＤの配列の規則に基づいて時分割に点灯させることにより、ダイナミック点灯方式のＬＥＤディスプレイに本発明を適用できる。また、第二の記憶手段の記憶容量をＬＥＤの所定の配列単位に基づく大きさにすることができ、ＬＥＤ画面に表示する画像を記憶する第二の記憶手段が過大な大きさになることを抑止し、記憶手段の記憶容量の過大化を抑止することが可能となる。さらに、第一の画像を第二の画像に変更する際の解像度を、ＬＥＤの配列の規則に基づく時分割の範囲を基準に変更できるので、第二の画像を生成する際の処理負荷を軽減できる。
【００１９】
請求項６に記載の発明によれば、記憶手段の記憶容量の過大化を抑止しつつ、複数の表示手段に画像を表示させて多様な視覚効果を得ることができる遊技機を提供できる。
【図面の簡単な説明】
【００２０】
【図１】この実施の形態の画像処理装置を示す機能ブロック図である。
【図２】同上画像形成装置における点灯部の構成を概略的に示す図である。
【図３】同上画像処理装置における領域情報の一例を示すブロック図である。
【図４】同上画像処理装置における遊技機及び第１表示装置、第２表示装置を模式的に示す図である。
【図５】同上画像処理装置における抽出処理の一例を示す説明図である。
【図６】同上画像処理装置における取得処理の一例を示す説明図である。
【図７】同上画像処理装置における矩形転送処理を示すフローチャートである。
【発明を実施するための形態】
【００２１】
図１乃至図７にこの発明の実施の形態を示す。
【００２２】
［基本構成］
図１は、この実施の形態に係る画像処理システム１Ａの全体構造を示す機能ブロック図である。
【００２３】
［画像処理システム］
図１に示す画像処理システム１Ａは、画像処理装置１、第１表示装置１９、第２表示装置２０を備える。
【００２４】
画像処理装置１は、「第一の画像表示手段」としての第１表示装置１９、「第二の画像表示手段」としての第２表示装置２０に表示させる画像を生成し画像を供給するための各種処理を行う。具体的には後述の［画像処理装置］の項で詳述する。
【００２５】
第１表示装置１９は、ＬＣＤ等の液晶ディスプレイであり、「第一の画像」としての液晶画面用の動画像（以下単に「動画像」と称する。本明細書にて同じ。なお静止画像でもよい。）を表示する。この実施の形態において、第１表示装置１９は液晶の画素が所定の規則（例えばマトリクス状）に配設され、それぞれの画素に、点灯制御を行う際に用いる座標（たとえば横軸方向（Ｘ軸方向）、縦軸方向（Ｙ軸方向）の座標）が設定されている。
【００２６】
第２表示装置２０は、多数の発光素子の集合体で構成されるディスプレイであり、ここではＬＥＤディスプレイである。第２表示装置２０は、複数のＬＥＤ（例えばカラーＬＥＤ）が所定の規則（例えばマトリクス状）に配列されている。第２表示装置２０は、構成するそれぞれのＬＥＤの点灯状態により「第二の画像」としての変更画像を表示する（変更画像については後述する。）。第２表示装置２０はそれぞれのＬＥＤが所定の規則（例えばマトリクス状）に配設され、それぞれのＬＥＤに点灯制御を行う際に用いる座標（たとえば横軸方向（Ｘ軸方向）、縦軸方向（Ｙ軸方向）の座標）が設定されている。
【００２７】
画像処理システム１Ａは、図４に示す遊技機１００に用いられる。この実施の形態の遊技機１００はパチンコ機だが、パチスロ機等、どのような遊技機であってもよい。
【００２８】
［画像処理装置］
画像処理装置１は、遊技機１００に配設された第１表示装置１９、第２表示装置２０に画像を表示させるための処理を行う。
【００２９】
画像処理装置１は、プロセッサ等の制御手段（図示せず）を備え、プログラムやデータの演算処理等を行う。そして、図１に示す通り、この実施の形態の画像処理装置１は、機能手段として、「画像生成手段」としての画像生成部１１、「画像生成手段」としての抽出部１２、「画像生成手段」及び「画像変更手段」としての取得部１３、「画像生成手段」及び「画像変更手段」としての生成部１４、点灯部１５、第１記憶部１６、駆動部１７、第２記憶部１８を備え、それらが接続部２１によって接続されている。駆動部１７には「第一の記憶手段」としての第１バッファ１７１が、点灯部１５には「第二の記憶手段」としての第２バッファ１５１がそれぞれ設けられている。画像生成部１１、抽出部１２、取得部１３、生成部１４、点灯部１５及び第２バッファ１５１、第１記憶部１６、駆動部１７及び第１バッファ１７１、第２記憶部１８、接続部２１は、いずれも、各種ハードウェアと、制御手段（図示せず）において演算処理されるプログラム（画像処理プログラム）等のソフトウェアとの協働によって実現される。ただし、これらの構成は、いずれも、ハードウェアのみで構成されていてもソフトウェアのみで構成されていてもよい。なお、演算処理されるプログラムは、例えば、磁気ディスク、光ディスク、又はフラッシュメモリなどの非一時的記録媒体に記録されてもよい。
【００３０】
画像生成部１１は、第２記憶部１８に記録された画像データ等に基づいて、第１表示装置１９に表示される画像としての動画像を生成する。画像生成部１１はデータに基づいて個々のフレームを生成し、動画像は、複数のフレームから成る。
【００３１】
抽出部１２は、第１表示装置１９に動画像が表示されたとき、表示された動画像と関連付けられた指定情報がある場合、指定情報が指定する領域の指定画像（後述）を抽出する。
【００３２】
取得部１３は、抽出部１２が抽出した指定画像から第２表示装置２０で点灯させる画像を取得する。取得部１３は、所定の基準により指定画像を分割し、分割した単位ごとに画像を取得する。この実施の形態ではライン単位のライン画像（後述）を取得する。
【００３３】
生成部１４は、取得部１３がライン画像を取得したとき、ライン画像の解像度を第２表示装置２０のラインの解像度に変更して変更画像（後述）を生成する。
【００３４】
点灯部１５は、ＬＥＤドライバであり、変更画像を用いて、第２表示装置２０が有する複数の発光素子を所定の基準（例えばライン画像のラインに依存した分割単位）で時分割に点灯させる（図２参照。詳しくは後述する。）。これにより、点灯部１５は、複数のＬＥＤをダイナミック点灯方式（複数のＬＥＤをまとめて一度に点灯させる点灯方式のこと。）で時分割に点灯させることができる。
【００３５】
第１記憶部１６は、ＲＡＭ、ＥＥＰＲＯＭ、ＲＯＭ等の各種記憶媒体であり、画像を識別する画像識別子と、各画像の領域を指定する指定情報とを関連付けて記憶する（図３参照。詳しくは詳述する。）。
【００３６】
駆動部１７は、液晶ドライバ（ＬＣＤドライバ）であり、第１表示装置１９を構成するそれぞれの液晶ディスプレイの点灯制御（点灯・消灯や、輝度、色彩などの制御）を行う。
【００３７】
第１バッファ１７１は駆動部１７に設けられた、ＲＡＭ、ＥＥＰＲＯＭ等の記憶媒体であり、第１表示装置１９で表示される動画像を、第１表示装置１９に供給する前に一時的に記憶させる。第１バッファ１７１の記憶容量は、第１表示装置１９で表示される動画像のそれぞれのフレームを記憶するに足りる大きさに形成されている。
【００３８】
第２バッファ１５１は、点灯部１５に設けられた、ＲＡＭ、ＥＥＰＲＯＭ等の記憶媒体であり、第２表示装置２０で表示される第２画像を、第２表示装置２０に供給する前に一時的に記憶させる。第２バッファ１５１の記憶容量は、第２表示装置２０にライン単位で表示させる画像を記録できる大きさに形成されている。また、第２バッファ１５１の記憶容量は、第１バッファ１７１の記憶容量より小さい記憶容量で形成されている。
【００３９】
第２記憶部１８は、例えば磁気ディスクやＥＰＲＯＭ等の外部記憶媒体であり、第１表示装置１９に表示される動画像の画像データ等が記憶されている。
【００４０】
接続部２１は、例えばバスであり、それぞれのハードウェアによって構成された機能手段を接続させる。但し、接続部２１は、プログラムの演算等によって構成された機能手段を論理的に接続するものであってもよい。
【００４１】
［第２表示装置の構成］
図４に、この実施の形態の遊技機に用いられる第２表示装置を模式的に示す。
【００４２】
同図に示す通り、この実施の形態の遊技機１００における第２表示装置２０は、遊技機１００の表面に複数のＬＥＤ２０ａが縦横方向に均等なマトリクス状に配列されている。ただし、第２表示装置２０のＬＥＤ２０ａの配列はどのようなものでもよい。例えば、ＬＥＤ２０ａが放射状に配列されていてもよいし、三角形や六角形の集合体のように配列されていてもよいし、不均等に（例えば列の一方側はＬＥＤ２０ａ同士の間隔が狭く、他方側は間隔が広くなるように）配列されていてもよい。
【００４３】
［点灯部の構成］
図２は、この実施の形態の点灯部１５の構成を概略的に示す図である。
【００４４】
同図に示す通り、点灯部１５は、第２バッファ１５１の他に、制御部１５２、駆動回路１５１０、１５２０、１５３０、数字表示部１５４１−１５４３、スイッチ１５５１−１５５４、スイッチ１５６１−１５６３、電源電圧部Ｖｄｄを備えている。
【００４５】
制御部１５２は、点灯部１５全体の動作や処理を制御する。制御部１５２は、画像処理装置１の制御手段（図示せず）の制御機能の一部として実現されてもよいし、画像処理装置１の制御手段（図示せず）とは別のプロセッサ等によって実現されてもよい。
【００４６】
駆動回路１５１０，１５２０，１５３０は、各種スイッチ素子を備え、第２表示装置２０や数字表示部１５４１，１５４２，１５４３への通電状態を制御する。このうち、駆動回路１５１０，１５２０が第２表示装置２０に接続されて、第２表示装置２０のＬＥＤ２０ａの点灯制御に用いられる。また、駆動回路１５３０が数字表示部１５４１−１５４３に接続されて数字表示部１５４１−１５４３の数字表示に用いられる。
【００４７】
数字表示部１５４１−１５４３は７セグメントのＬＥＤ表示器であって、通電状態により各セグメントを点灯・消灯させて０〜９の１０個の数字を表示させる。数字表示部１５４１−１５４３は、遊技機１００の遊技中の特定の状態（例えば確率変動が生じている状態）の数字の変化等や確定した数字等を表示する。
【００４８】
スイッチ１５５１−１５５４、スイッチ１５６１−１５６３は、ＭＯＳＦＥＴで形成された通電スイッチである。スイッチ１５５１−１５５４は、第２表示装置２０のマトリクス状に配列されたＬＥＤ２０ａの列方向の通電状態を制御してこれらのＬＥＤ２０ａの列ごとの点灯制御を行う。これにより、第２表示装置２０のＬＥＤ２０ａは列ごとにダイナミック点灯制御が行われる。
【００４９】
なお、スイッチ１５５１−１５５４による第２表示装置２０の点灯制御は、ＬＥＤ２０ａの列ごとの点灯制御以外のどのような基準による制御でもよい。例えば、マトリクス状に配列されたＬＥＤ２０ａを行ごとに点灯制御してもよいし、配列の斜め方向に点灯制御してもよいし、升目状の区画ごとに点灯制御してもよいし、中央部から周辺部、あるいは周辺部から中央部に向けて点灯制御してもよい。
【００５０】
スイッチ１５６１−１５６３は、数字表示部１５４１−１５４３のそれぞれの通電状態を制御して数字表示部１５４１−１５４３のそれぞれに０−９の数字を表示させる。
【００５１】
電源電圧部Ｖｄｄは、スイッチ１５５１−１５５４、スイッチ１５６１−１５６３を構成するＭＯＳＦＥＴのドレイン端子に接続されてスイッチ１５５１−１５５４、スイッチ１５６１−１５６３に所定の駆動電圧を供給する。
【００５２】
［遊技機の構成］
図４は、この実施の形態の遊技機の表面部を模式的に示した図である。
【００５３】
同図に示す通り、遊技機１００は、表面部の上方に第１表示装置１９が、下方に第２表示装置２０がそれぞれ設けられている。
【００５４】
なお、図４に示す通り、第１表示装置１９と第２表示装置２０とは遊技機１００にどのように配設されていてもよい。たとえば、第１表示装置１９が遊技機１００の中央に、第２表示装置２０が周囲に、それぞれ設けられていてもよい。また、第１表示装置１９や第２表示装置２０が遊技機１００に複数設けられていてもよい。この場合、複数の第１表示装置１９のそれぞれには同一又は別個の動画像（後述）が、複数の第２表示装置２０のそれぞれには同一又は別個の変更画像（後述）が、表示される。
【００５５】
［指定情報］
この実施の形態において、第１記憶部１６には、第１の画像から第２の画像を生成するために必要な指定情報が記録されている。
【００５６】
図３は、この実施の形態の画像処理装置１の第１記憶部１６に記録された領域情報１６１の一例を模式的に示した図である。同図に示す通り、記憶部５０に記録された領域情報１６１は、画像識別子情報１６１１と、指定情報１６１２とを有する。
【００５７】
画像識別子情報１６１１は、第１表示装置１９に表示される「第一の画像」としての液晶画像の識別情報である。動画に画像識別子情報１６１１が付与される場合、動画全体に１つの画像識別子情報１６１１が付与されてもよいし、動画を構成するフレームごとに画像識別子情報１６１１が付与されてもよい。
【００５８】
指定情報１６１２は、液晶画像の取得される領域を特定するための情報である。この実施の形態では、指定情報１６１２は、液晶画像の取得される領域の頂点のピクセル位置を示す座標情報として機能する。
【００５９】
図３及び図５を参照して、具体的に説明する。図３に示すように、画像情報１６１３は、画像Ａと指定情報［（ｘ１，ｙ１）（ｘ２，ｙ２）］とを含む。画像Ａは、図５に示すように、第１表示装置１９に表示された動画像であるものとする。この場合、抽出部１２は、第１表示装置１９に画像Ａが表示されたとき、画像Ａと関連付けられた指定情報［（ｘ１，ｙ１）（ｘ２，ｙ２）］を参照する。そして、抽出部１２は、第１表示装置１９に表示された動画像の一又は複数のフレームから、第１の座標１６１３１（ｘ１，ｙ１）、第２の座標１６１３２（ｘ２，ｙ２）を対角線方向の頂点とする矩形１６１３ａの範囲の画像を指定画像３０として抽出する。生成部１４は、抽出した指定画像３０を用いて、第２表示装置２０に表示する第２の画像を生成する。
【００６０】
なお、指定情報１６１２は、指定画像を抽出する範囲を特定できる情報であればどのようなものでもよい。例えば、３つ以上の座標情報でもよいし、座標以外の情報、例えば動画像中に存在する特定の形状の図形の情報や特定の文字を示す情報等でもよい。
【００６１】
［指定画像の抽出］
図５は、この実施の形態の画像処理装置１において、抽出部１２が第１表示装置１９に表示された動画像から指定情報を抽出する態様を模式的に示した図である。
【００６２】
図５の（Ａ）に示すように第１表示装置１９に動画像が表示され、この動画像が指定情報（図３参照）で指定された画像識別子に一致する画像（例えば図３画像情報１６１３で示す画像Ａ）である場合、図５の（Ａ）に示すように、抽出部１２は、この動画像の一又は複数のフレームから、上記［指定情報］に記載した手順により、指定情報（図３の指定情報１６１２参照）に基づいて指定された部分の画像を抽出し、これを図５の（Ｂ）に示す指定画像３０とする。
【００６３】
なお、抽出部１２は、第２表示装置２０に表示される前の動画像や第２表示装置２０に表示された後の動画像を用いて指定画像３０を抽出してもよい。
【００６４】
［変更画像の取得（１）］
図６は、この実施の形態の画像処理装置１において、取得部１３が指定画像３０からライン画像を取得する態様を模式的に示した図である。
【００６５】
図５の（Ｂ）に示すように指定画像３０が抽出された場合、取得部１３は、この指定画像３０を所定の基準で分割する。この実施の形態では図６の（Ａ）に示すように、この指定画像を列方向に均等な大きさに（例えば図６の（Ａ）に示す幅ａに、即ち、例えば横方向の画素数が４０９６である場合は５１２画素毎に）分割する。図６の（Ａ）は、これにより「分割画像」としての第１ライン画像３１〜第８ライン画像３８に８分割された状態が模式的に示されている。
【００６６】
取得部１３は、これらの第１ライン画像３１〜第８ライン画像３８を、取得タイミングを変えながら順次取得する。例えば、図６の（Ｂ）〜（Ｅ）に示すように、取得部１３は、まず第１ライン画像３１と第５ライン画像３５（図６の（Ｂ））、次に第２ライン画像３２と第６ライン画像３６（図６の（Ｃ））、次に第３ライン画像３３と第７ライン画像３７（図６の（Ｄ））、次に第４ライン画像３４と第８ライン画像３８（図６の（Ｅ））、のように取得する。
【００６７】
なお、取得部１３による指定画像３０の分割の個数や態様は図６に示すもの以外でもよい。例えば、指定画像３０の分割により得られるライン画像は８個より多くても少なくてもよく、分割の態様も行方向や斜め方向や同心円状などでもよいし、升目状やハニカム形状でもよいし、それらが不均等な形状となる分割でもよい。
【００６８】
［変更画像の取得（２）］
取得部１３が取得した第１〜第８ライン画像３１〜３８は、生成部１４において処理が行われ、変更画像が生成される。具体的には、生成部１４は、第１〜第８ライン画像３１〜３８を、ライン毎に、第２表示装置７０で表示できる解像度に変更する（例えば、複数の画素の色や明るさの情報を混合させて、画素数の少ない画像に変更する。）ことで変更画像を生成する。すなわち、生成部１４は、動画像のデータ量を所定の基準で削減する。
【００６９】
生成部１４は、これらの変更画像をライン毎に（例えば、図６の（Ｂ）〜（Ｅ）に示す第１ライン画像３１〜第８ライン画像３８の取得順に）点灯部１５の第２バッファ１５１に記録する。
【００７０】
第２バッファ１５１に記録された変更画像は、順次第２表示装置２０に送信され、第２表示装置２０のそれぞれのＬＥＤ２０ａが点灯することで画像表示される。
【００７１】
［処理手順］
図７は、この実施の形態の画像処理装置１における処理手順を示すフローチャートである。以下、このフローチャートに基づいてこの実施の形態の処理手順を説明する。
【００７２】
まず、画像処理装置１は、第２記憶部１８から画像データのファイルを取得し、画像生成部１１で動画像を生成して（画像生成手順）第１表示装置１９に画像表示する。このとき、第１バッファ１７１には第１表示装置１９に表示される動画像が記録される（第一の記憶手順）。
【００７３】
抽出部１２は、第１表示装置１９に動画像が表示されているか否かを検出する。検出の結果、第１表示装置１９に動画像が表示されている場合（ステップＳ１０１の“Ｙｅｓ”）、抽出部１２は、第１記憶部１６の領域情報１６１に、第１表示装置１９に表示されている動画像の画像識別子に関連付けられた指定情報が記録されているかを確認する。確認の結果、領域情報１６１の中に、第１表示装置１９に表示されている動画像の画像識別子に関連付けられた指定情報がある場合（ステップＳ１０３の“Ｙｅｓ”）、抽出部１２は、第１表示装置１９に表示されている動画像のフレームの一部から指定画像３０を抽出し（画像生成手順）、第１記憶部１６に記録する（ステップＳ１０４）。
【００７４】
指定画像３０が抽出されると、取得部２２は、所定の基準に基づいて指定画像３０を分割して第１ライン画像３１〜第８ライン画像３８を取得する（ステップＳ１０５、画像生成手順）。
【００７５】
第１ライン画像３１〜第８ライン画像３８が取得されると、生成部１４は、図６の（Ｂ）〜図６の（Ｅ）に示すように、これらのライン画像３１〜３８を順次取得して解像度を変更し、変更画像を生成する（ステップＳ１０６、画像生成手順）。
【００７６】
生成された変更画像は、点灯部１５の第２バッファ１５１に一時的に記録されたのち（第二の記憶手順）、第２表示装置２０に送信される。点灯部１５は、第１ライン画像３１〜第８ライン画像３８の分割に依存した状態で、第２表示装置２０を構成するＬＥＤ２０ａをダイナミック点灯方式で時分割に点灯する（ステップＳ１０７）。これにより、変更画像が第２表示装置２０に表示される。
【００７７】
一方、第１表示装置１９に表示された動画像に指定情報がない場合（ステップＳ１０１のステップＳ１０１の“Ｙｅｓ”〜ステップＳ１０３の“Ｎｏ”）や、第１表示装置１９に動画像が表示されておらず電源がオンの場合（ステップＳ１０１の“Ｎｏ”〜ステップＳ１０２の“Ｎｏ”）は、抽出部１２は指定画像３０の抽出される前の状態で待機する（「Ａ」の表示）。
【００７８】
また、第１表示装置１９に動画像が表示されておらず電源がオフに入っている場合（ステップＳ１０１の“Ｎｏ”〜ステップＳ１０２の“Ｙｅｓ”）は、処理が終了する。
【００７９】
以上、この実施の形態においては、動画像に依存して動画像よりもデータ量の小さい変更画像を生成し、動画像を記憶する第１バッファ１７１の記憶容量よりも変更画像を記憶する第２バッファ１５１の記憶容量を小さく形成することにより、第１バッファ１７１と第２バッファ１５１とを、それぞれ動画像のデータ量と変更画像のデータ量とに対応した記憶容量に形成できる。これにより、第２バッファ１５１を含む記憶手段の記憶容量の過大化を抑止しつつ、複数の表示手段に画像を表示させて多様な視覚効果を得ることが可能になる。
【００８０】
この実施の形態においては、動画像の所定領域を取得して変更画像を生成することにより、動画像の少なくとも一部に対応する、データ量が動画像のデータ量以下の変更画像を生成できる。そして、第２バッファ１５１を変更画像のデータ量に対応した記憶容量に形成できるので、第２バッファ１５１が過大な大きさになることを抑止し、第２バッファ１５１を含む記憶手段の記憶容量の過大化を抑止することが可能となる。
【００８１】
この実施の形態においては、動画像を複数のブロック単位で分割した第１ライン画像３１〜第８ライン画像３８によって変更画像を生成することにより、変更画像のデータ量を、確実に動画像のデータ量よりも小さく生成できる。そして、第２バッファ１５１を第１ライン画像３１〜第８ライン画像３８のうちの少なくとも一部のデータ量に対応した記憶容量に形成できるので、第２バッファ１５１が過大な大きさになることを抑止し、第２バッファ１５１を含む記憶手段の記憶容量の過大化を抑止することが可能となる。
【００８２】
この実施の形態においては、動画像のデータ量を所定の基準で削減して変更画像を生成することにより、変更画像のデータ量を、確実に動画像のデータ量以下に形成できる。そして、第２バッファ１５１を変更画像のデータ量に対応した記憶容量に形成できるので、第２バッファ１５１が過大な大きさになることを抑止し、第２バッファ１５１を含む記憶手段の記憶容量の過大化を抑止することが可能となる。
【００８３】
この実施の形態においては、液晶画像である動画像に基づいてＬＥＤ画面で表示される変更画像を生成することにより、液晶ディスプレイとＬＥＤディスプレイとを併用する場合において、所定領域の画像に基づいて生成された変更画像を、第１ライン画像３１〜第８ライン画像３８として、ＬＥＤ２０ａの配列の規則に基づいて時分割に点灯させることにより、ダイナミック点灯方式のＬＥＤディスプレイに本発明を適用できる。また、第２バッファ１５１の記憶容量をＬＥＤ２０ａの所定の配列単位である第１ライン画像３１〜第８ライン画像３８の少なくとも一部に基づく大きさにすることができ、ＬＥＤ画面に表示する画像を記憶する第二の記憶手段が過大な大きさになることを抑止し、第２バッファ１５１を含む記憶手段の記憶容量の過大化を抑止することが可能となる。さらに、動画像を変更画像に変更する際の解像度を、生成部１４の処理により、ＬＥＤ２０ａの配列の規則に基づく時分割の範囲を基準（毎に）に変更できるので、変更画像を生成する際の処理負荷を軽減できる。
【００８４】
なお、上記実施の形態においては、第１表示装置１９を液晶画面として、第２表示装置２０をＬＥＤディスプレイとしてそれぞれ構成したが、これに限定されず、第１表示装置１９や第２表示装置２０をどのような画面にて構成してもよい。例えば、第１表示装置１９も第２表示装置２０も複数のＬＥＤ２０ａが配列されたＬＥＤディスプレイとして構成してもよいし、第２表示装置２０を有機ＥＬディスプレイとして構成してもよい。即ち、ダイナミック点灯制御あるいはそれに類する点灯制御を行えるものであれば、どのような表示装置を第２表示装置２０としてもよい。
【００８５】
上記実施の形態においては、点灯部１５としてのＬＥＤドライバはダイオードを用いた電気回路として構成したが、これに限定されず、例えばＩＣ等の集積回路等により点灯部１５を構成し、ＬＥＤ２０ａの点灯制御を行ってもよい。
【００８６】
上記実施の形態は本発明の例示であり、本発明が上記実施の形態のみに限定されることを意味するものではないことは、いうまでもない。
【符号の説明】
【００８７】
１・・・画像処理装置
１１・・・画像生成部（画像生成手段）
１２・・・抽出部（画像生成手段）
１３・・・取得部（画像生成手段、画像変更手段）
１４・・・生成部（画像生成手段、画像変更手段）
１９・・・第１表示装置（第一の画像表示手段）
２０・・・第２表示装置（第二の画像表示手段）
２０ａ・・・ＬＥＤ
３０・・・指定画像
３１〜３８・・・第１ライン画像〜第８ライン画像（分割画像）
１００・・・遊技機
１５１・・・第２バッファ（第二の記憶手段）
１７１・・・第１バッファ（第一の記憶手段）
【図１】
2019032473.tif 000003
【図２】
2019032473.tif 000004
【図３】
2019032473.tif 000005
【図４】
2019032473.tif 000006
【図５】
2019032473.tif 000007
【図６】
2019032473.tif 000008
【図７】
2019032473.tif 000009